(57)【要約】      （修正有）【課題】工程の変更を必要とせずに使用時の保持力を強化している保持力強化型工業用手袋の提供。【解決手段】内綿層及び樹脂浸漬し成形してなる外樹脂層を具え、製造時に、内綿層の手指部上方に一片の網層が縫合され、該網層が樹脂浸漬時の付着樹脂厚さが他の部分より２０〜３０％多く、並びに網層の形状により、手指部分の外樹脂層に溝を形成する。【選択図】図３
0003107424.tif 000002
【実用新案登録請求の範囲】
【請求項１】
内綿層と外樹脂層を具え、該内綿層が手型に嵌合された後に樹脂液に浸漬され、取り出された後に内綿層に付着した樹脂液が加熱乾燥されて外樹脂層が形成されてなる保持力強化型工業用手袋において、
内綿層の手指部分に一枚の網層が縫合され、樹脂に浸漬される時に他の部分に付着する樹脂の厚さより２０％〜３０％厚い樹脂が該網層に付着し、並びに網層の形状により手指部分の外樹脂層に強化溝が形成されて使用時の保持力が増されたことを特徴とする、保持力強化型工業用手袋。
【請求項２】
請求項１記載の保持力強化型工業用手袋において、形成される溝が横溝とされたことを特徴とする、保持力強化型工業用手袋。
【請求項３】
請求項１記載の保持力強化型工業用手袋において、手指部分の外樹脂層の溝が指先より下向きに、第１及び第２指関節の間に延伸されたことを特徴とする、保持力強化型工業用手袋。
【請求項４】
請求項１記載の保持力強化型工業用手袋において、縫合される網層が綿で形成されたことを特徴とする、保持力強化型工業用手袋。
【請求項５】
請求項１記載の保持力強化型工業用手袋において、縫合される網層が金属で形成されたことを特徴とする、保持力強化型工業用手袋。
【請求項６】
請求項１記載の保持力強化型工業用手袋において、指甲部分の外樹脂層に更に強化溝が形成されたことを特徴とする、保持力強化型工業用手袋。
【請求項７】
請求項１記載の保持力強化型工業用手袋において、外樹脂層が窒化ブタジエンゴム、天然ゴム、ポリ塩化ビニル、或いはポリウレタンで形成されたことを特徴とする、保持力強化型工業用手袋。
【考案の詳細な説明】
【技術分野】
【０００１】
本考案は一種の工業用手袋に係り、特に漁業、重油と接触する工業、例えば車両組立或いは修理等に使用される工業用手袋であって、保持力が強く耐用性を有する特徴を具えた工業用手袋に関する。
【背景技術】
【０００２】
工業用のゴム手袋、例えば漁業用、車両組立或いは修理等に使用される工業用手袋は、防水、防油及び強固な特質を具備しなければならない。手型を天然或いは合成ゴム或いはエマルジョン樹脂に浸漬して手袋を成形する製造方法で、適合する樹脂材料、例えば密度が高い窒化ブタジエンゴム（Ｎｉｔｒｉｌｅ  Ｂｕｔａｄｉｅｎｅ−Ｒｕｂｂｅｒ）を使用することで、上述の特質要求を達成できる。
【０００３】
図１には現在市販されている工業用手袋が示されている。選択する樹脂材料が形成する手袋内部表面は粗く、使用者の手部の皮膚と接触するのに適さないため、製造時には、図２のように手型に先に一層の綿布を縫製してなる内層９１を被せ、その後に手型を溶液状の樹脂筒内に浸漬させ、樹脂を綿材の内層外表面に付着させ、更に手型を取りだして加熱し、樹脂の乾燥、成形後に、工業用手袋を獲得し、こうして得られる工業用手袋は着用に適して使用者の皮膚と不適な摩擦を発生しない。
【０００４】
図１に示される手袋９０は内綿層９１と外樹脂層９２を具え、保持力を増し、即ち防滑機能を与えるために、掌部分９３の表面に加工処理が施されて、一部の粗さが増され、保持作業に便利とされる。
【０００５】
但し、このような工業用手袋は使用時に欠点を有する。例えば、工業使用時に保持する物品重量は非常に大きく、表面粗化処理だけでは保持した物品が滑り落ちる状況が発生しうる。特に漁業使用時の保持物は極めて太い網或いは魚であり、また車工場では油で滑りやすい重い機械物であり、数日使用するだけで、手指部分が摩損して使用に耐えなくなる。このため、いかに工業用手袋の指先部分の厚さと粗さを増すかが本考案の主要な討論の範疇である。
【考案の開示】
【考案が解決しようとする課題】
【０００６】
周知の工業用手袋は手指部分の摩損問題が常時発生する。本考案は特に手袋の手指部分の設計にあって、厚さを増す横溝を形成し、一方で保持力を増して防滑機能を達成し、また一方で厚さの増加により工業用手袋の使用寿命を増す。
【０００７】
本考案は製造時に、内綿層の手指部分の上方に一片の網層を縫い付け、該網層を樹脂に浸漬させる時にそれに付着する樹脂の厚さが他の部分より２０〜３０％増すようにし、並びに網層の形状により、手指部分の外樹脂層に溝を形成し、使用時の保持力を増す。本考案の工業用手袋は、全体工程上は周知の工業用手袋とほぼ同じであるが、周知の工業用手袋より良好な保持力と使用寿命を有する。
【０００８】
本考案の網層は内綿層と同材質の綿材網状布とされうるが、特に保持力を要求される場合には、網層は金属細線を編成してなる網状構造とすることができ、これにより手袋の手指部分を更に強化することができる。
【０００９】
さらに、本考案の手袋の手指部分の強化溝は、指甲部分に延伸可能で、縫合された網層を指甲部分に延伸すれば手袋成形時に強化用の溝が形成される。
【００１０】
本考案の外樹脂層は窒化ブタジエンゴム（ＮＢＲ）、天然ゴム、ポリ塩化ビニル（ＰＶＣ）、ポリウレタン（ＰＵ）で形成されうる。
【課題を解決するための手段】
【００１１】
請求項１の考案は、内綿層と外樹脂層を具え、該内綿層が手型に嵌合された後に樹脂液に浸漬され、取り出された後に内綿層に付着した樹脂液が加熱乾燥されて外樹脂層が形成されてなる保持力強化型工業用手袋において、
内綿層の手指部分に一枚の網層が縫合され、樹脂に浸漬される時に他の部分に付着する樹脂の厚さより２０％〜３０％厚い樹脂が該網層に付着し、並びに網層の形状により手指部分の外樹脂層に強化溝が形成されて使用時の保持力が増されたことを特徴とする、保持力強化型工業用手袋としている。
請求項２の考案は、請求項１記載の保持力強化型工業用手袋において、形成される溝が横溝とされたことを特徴とする、保持力強化型工業用手袋としている。
請求項３の考案は、請求項１記載の保持力強化型工業用手袋において、手指部分の外樹脂層の溝が指先より下向きに、第１及び第２指関節の間に延伸されたことを特徴とする、保持力強化型工業用手袋としている。
請求項４の考案は、請求項１記載の保持力強化型工業用手袋において、縫合される網層が綿で形成されたことを特徴とする、保持力強化型工業用手袋としている。
請求項５の考案は、請求項１記載の保持力強化型工業用手袋において、縫合される網層が金属で形成されたことを特徴とする、保持力強化型工業用手袋としている。
請求項６の考案は、請求項１記載の保持力強化型工業用手袋において、指甲部分の外樹脂層に更に強化溝が形成されたことを特徴とする、保持力強化型工業用手袋としている。
請求項７の考案は、請求項１記載の保持力強化型工業用手袋において、外樹脂層が窒化ブタジエンゴム、天然ゴム、ポリ塩化ビニル、或いはポリウレタンで形成されたことを特徴とする、保持力強化型工業用手袋としている。
【考案の効果】
【００１２】
本考案の保持力強化型工業用手袋は、内綿層及び樹脂浸漬し成形してなる外樹脂層を具え、製造時に、内綿層の手指部上方に一片の網層が縫合され、該網層が樹脂浸漬時の付着樹脂厚さが他の部分より２０〜３０％多く、並びに網層の形状により、手指部分の外樹脂層に溝を形成し、使用時の保持力を強化している。本考案の保持力強化型工業用手袋は、工程の変更を必要とせずに、手指部分の強化の機能を達成する。
【考案を実施するための最良の形態】
【００１３】
図３を参照されたい。本考案の工業用手袋１０は内綿層１１と外樹脂層１２を具えている。掌部分１３は表面処理及び粗化されている。但し最も重要であることは、本考案の手指部分には横溝１４が形成されていることである。横溝１４の設置により、手指部分の厚さが増されるほか、保持力が増される。横溝１４の配置については図６の断面図を参照されたい。
【００１４】
手指部分に横溝１４を形成するため、本考案は製造時に、内綿層１１の手指部分１６に先に一枚の網層１５を縫合し、これは図４、５に示されるとおりである。これにより内綿層１１を手型に嵌合させ並びに樹脂液中に浸漬させる時、網層１５に厚い樹脂を付着させることができ、図６に示されるように突起１７を外樹脂層の基層１２１の表面に形成して保持力を増すことができる。
【００１５】
内綿層の手指部分１６の両側は縫合線１８で縫合され、図５に示されるようであり、ゆえに、網層１５を適宜裁断するだけで、縫合実施時に、網層１５が縫い付けられる。これにより、本考案は製造コストを増すことがない。
【００１６】
図示される実施例中、手指部分に形成される横溝１４は、その溝の形状が網層１５編成の網の格子形状により形成されるほか、その他の形状、例えば波状溝、円形溝等とされうる。ゆえに本考案の溝は横溝に限定されるわけではなく、多種類の変化実施方式が可能である。
【００１７】
このほか、溝１４の長さは最も好ましくは指先から第１及び第２指関節の間とされ、これにより使用者が手指を曲げる時に厚い溝が動作に影響しないものとされる。
【００１８】
当然、網層１５は、手指部分の保持力を高めるため、細金属線を編成してなるものとされ得て、これによりその部分の強度を増し、摩損の問題が発生しにくくなる。
【００１９】
さらに、図示される実施例で、本考案は手袋の手指部分に強化溝が形成され、この溝は指甲部分に延伸可能である。これは手指部分の網層を縫合する時、即ち手袋成形時に同時に強化溝が形成されうる。しかし、本考案は手指部分に限定されるわけではなく、本考案の技術は手袋のその他の部分にも延伸可能で、これにより、本考案の請求範囲は手指部分の強化に限定されるものではなく、その他の部分もこの方式により強化でき、いずれも本考案の技術範疇に属する。
【００２０】
総合すると、本考案の提供する保持力強化型工業用手袋は、工程の変更を必要とせずに、手指部分の強化の機能を達成し、実用新案登録の要件に符合する。
【図面の簡単な説明】
【００２１】
【図１】市販の工業用手袋の外観図である。
【図２】図１の工業用手袋の内綿層の表示図である。
【図３】本考案の実施例の外観図である。
【図４】本考案の内綿層の外観図である。
【図５】図４中のＡ部分の拡大図である。
【図６】本考案の部分断面図である。
【符号の説明】
【００２２】
１０  手袋
１１  内綿層
１２  外樹脂層
１２１  基層
１３  掌部分
１４  溝
１５  網層
１６  手指部分
１７  突起
１８  縫合線
９０  手袋
９１  内綿層
９２  外樹脂層
９３  手指部分
【図１】
0003107424.tif 000003
【図２】
0003107424.tif 000004
【図３】
0003107424.tif 000005
【図４】
0003107424.tif 000006
【図５】
0003107424.tif 000007
【図６】
0003107424.tif 000008